(57)【要約】      （修正有）【課題】  接地電圧が他の接地系に波及する電圧の波及率と波及範囲を測定する。【解決手段】  接地電圧を測定する回路、即ち、電圧降下法又は異周波測定装置を使用した測定で測定した接地極の測定電圧をＶ、波及電圧を受ける接地体を電流通電極とし、その電圧検出極から測定した電圧をＶ’とし、その電圧波及率をα＝（Ｖ−Ｖ’）／Ｖとする測定法と計算法  又、接地極の測定電圧Ｖ、波及電圧を受ける接地極と電圧検出電極との電圧Ｖ”から（Ｖ”／Ｖ）×１００％＝αとしての測定法と計算法。【選択図】  図４
2005037340.tif 000002
【特許請求の範囲】
【請求項１】
通常の３端子を有する接地抵抗計で、電圧回路を切り替えスイッチ８を操作し通常の回路で測定した絶縁独立接地極Ａの接地抵抗をＲ、接地電圧が波及する接地系ＢをＰ電極として測定した接地抵抗をＲ’とし、その測定値から（（Ｒ−Ｒ’）×Ｉ／Ｒ×Ｉ）×１００％を接地電圧波及率α％として測定及び計算する方法。
【請求項２】
３又は４端子を有する接地抵抗計を使用し、通常の回路で測定した絶縁独立接地極Ａの接地抵抗をＲ、電圧回路を切り替えスイッチ８を操作して、絶縁独立接地電極地中深く挿入するガイド管Ｌ１〜ＬＮのＢ極をＰ極にし、そのガイド管Ｌ１〜ＬＮを抜管の都度そのガイド管の下部深さで測定される接地抵抗をＲ’、その測定値から各深度増毎の（（Ｒ−Ｒ’）×Ｉ／Ｒ×Ｉ）×１００％を接地電圧波及率αとして深部から浅部えの順に測定及び計算する方法。
【請求項３】
深埋設絶縁独立接地Ａ単独を通常に接地電圧を電圧降下法、又は、異周波を電源とした接地抵抗測定装置を使用した測定値をＶ、地表接地系ＢをＰ極にした接地電圧波及地点での測定値をＶ’、又、図８の様にＰ点とＢ間の電圧測定値をＶ”とすると（（Ｖ−Ｖ’）／Ｖ）×１００％＝α１、（Ｖ”／Ｖ）×１００％＝α２として地中からの接地電圧波及率α％とし２方法で確認する測定及び計算する方法。
【請求項４】
地表系接地Ｂ単独を通常の測定法によりその接地電圧を電圧降下法、又は、異周波を電源とした接地抵抗測定装置を使用した測定値をＶ、１深埋設独立接地ＡをＰ極にした接地電圧波及地点での測定値をＶ’、又、Ｐ点とＡ間の電圧測定値をＶ”とすると（（Ｖ−Ｖ’）／Ｖ）×１００％＝α１、（Ｖ”／Ｖ）×１００％＝α２として地表接地系Ｂから地中の絶縁独立接地えの接地電圧波及率α％として測定及び計算する方法。
【請求項５】
接地電圧が波及表示出来る対数グラフは、Ｙ軸に波及電圧の比を波及電圧率とするα％、Ｘ軸に接地電圧発生電極と波及電圧を受ける電圧極とのαに反比例する間隔［ｍ］、又は、同じく反比例する接地体の等価半径ｒの倍数［Ｎ］をとる事により、地表接地系、地中接地系や他接地系との相互関係を図示できるグラフになり、等価半径ｒの倍数として表示出来るように計算とグラフ化する方法。
対数グラフは図示せず。
【発明の詳細な説明】
【発明の詳細な説明】
【技術分野】
【０００１】  本発明は、接地電圧が他の接地系に波及する、電圧波及率と波及範囲を測定するする測定法、実測値から計算する計算法とその表示対数グラフに関する。
【背景技術】
【０００２】  従来、接地電圧が他の接地系に波及する接地電圧波及率と、波及範囲を実測値から求めて計算する計算方法と工事竣工後における検証の測定方法は無かった。
【発明が解決しようとする課題】
近年、接地電圧が他の接地系に波及する、接地電圧の波及率と波及範囲を計算する対策と、工事竣工後の測定方法が必要とされる様になってきた。
【課題を解決するための手段】
【０００４】  上記課題を解決するため、本発明は実測を元にし、電気的な理論を組み合わせして解決する事を特徴とした。
接地抵抗の範囲は従来から、図２、図３の様に接地電極Ａを中心として９の様な形状の対象形とされている。
但し、接地抵抗の測定時は接地抵抗測定用電圧検出補助極Ｐ極は、接地抵抗測定電流通電補助極Ｃ極側に設けるよう解説されているのが多く見受けられる。
この事については、諸実験の結果図２、図３の様に測定できる事が判明している。
【０００５】  請求項１は、図１の様に通常の３端子を有する接地抵抗計で、通常の回路で測定した絶縁独立接地電極Ａの接地抵抗をＲ、図−２の様にＡからＢのＸ間隔地点に、接地電圧が波及する接地系ＢをＰ電極として測定した接地抵抗をＲ’とし、その測定値から（（Ｒ−Ｒ’）×Ｉ／Ｒ×Ｉ）×１００％を接地電圧波及率とし、更に図３の様にＢ＋Ｂ’間隔Ｘ＋Ｙ＝Ｚの測定も可能になる測定及び計算する方法になる。
又、測定時図５−Ａに示す電圧回路を切り替えスイッチ８を操作すると、一連の測定時間が短縮される。
抵抗値Ｒに電流値Ｉを乗ずると電圧Ｖになり、即ち、Ｖ＝Ｉ×Ｒであり、電流値を１アンペアにすると、Ｖ＝Ｒになり計算が容易になる。
以上の理由から電流値Ｉを省略してもよいが、本文ではＩを挿入した。
【０００６】  請求項２は、図４と図５に示す様に、３又は４端子を有する接地抵抗計を使用し、通常の回路で測定した絶縁独立接地極Ａの接地抵抗をＲ、電圧回路を切り替えスイッチ８を操作して、絶縁独立接地電極地中深く挿入するガイド管Ｌ１〜ＬＮのＢ極をＰ極にし、そのガイド管Ｌ１〜ＬＮを抜管の都度そのガイド管の下部深さで測定される接地抵抗をＲ’、その測定値から各深度増毎の（（Ｒ−Ｒ’）×Ｉ／Ｒ×Ｉ）×１００％を接地電圧波及率αとして深部から浅部えの順に測定及び計算する方法である。
【０００７】  請求項３は、図４の様に深埋設絶縁独立接地Ａ単独を通常に接地電圧を電圧降下法、又は、異周波を電源とした接地抵抗測定装置を使用した測定値をＶ、図７の様に地表接地系ＢをＰ極にした接地電圧波及地点での測定値をＶ’又、図８の様にＰ点とＢ間の電圧測定値をＶ”とすると（（Ｖ−Ｖ’）／Ｖ）×１００％＝α１、（Ｖ”／Ｖ）×１００％＝α２として地中からの接地電圧波及率α％として測定及び計算する方法である。
図２の理論上の接地電圧範囲曲線（接地抵抗範囲曲線）９は、微少な差のある曲線であり、従って図２の様な測定が高精度である。
図８の様な測定では計器の指示値が、使用する計器の入出力のインピーダンスに左右される可能性があり、２方法の測定で確認する。
【０００８】  請求項４は、請求項３の逆測定するものであり、地表系接地Ｂ単独を通常の測定法によりその接地電圧を電圧降下法、又は、異周波を電源とした接地抵抗測定装置を使用した測定値をＶ、深埋設独立接地ＡをＰ極にした接地電圧波及地点での測定値をＶ’、又、Ｐ点とＡ間の電圧測定値をＶ”とすると（（Ｖ−Ｖ’）／Ｖ）×１００％＝α１、（Ｖ”／Ｖ）×１００％＝α２として地表接地系Ｂから地中の絶縁独立接地えの接地電圧波及率α％として測定及び計算する方法である。
【０００９】  請求項５は、接地電圧が波及表示出来る対数グラフに、Ｙ軸に波及電圧の比を波及電圧率とするα％、Ｘ軸に接地電圧発生電極と波及電圧を受ける電圧極とのαに反比例する間隔［ｍ］、又は、同じく反比例する接地体の等価半径ｒの倍数［Ｎ］をとる事により、地表接地系、地中接地系や他接地系との相互関係を図示できるグラフになり、等価半径ｒの倍数として表示出来るように計算とグラフ化する方法。
対数グラフは図示せず。
【発明の効果】
【００１５】  以上述べたような他に、通常本測定のような測定場所は、変電所や電気所のような誘導電圧（地電圧）のある場所が多い。
従って、その測定誤差を防止する目的で、発変電規程（ＪＥＡＣ５００１）に準拠するか、本測定に匹敵する異周波、即ち、商用周波数以外の４５、５５、６５ヘルツの電源を使用する等、接地抵抗測定装置（異周波計）に依り測定し測定誤差を排除した。
理論的には５，６項の測定でも同一値に測定される筈であるが、本測定の様に検証測定は５，６項のように２回測定することで精度向上と測定誤差を排除した。
本測定は、昭和５２（１９７６）年５月から現在迄、国内外の約２０００カ所で測定したデータを検証解析して今回の知見を得たものである。
【図面の簡単な説明】
【００１６】
【図１】接地抵抗の標準的な測定回路図を示す。
【図２】接地抵抗測定回路のＢ接地系をＰ極とした場合の回路図を示す。
【図３】接地抵抗測定回路のＢ’接地系をＰ極とした場合の回路図を示す。
【図４】挿入ガイド管Ｄの抜管時の絶縁Ｓ長さ変化と切り替えスイッチ８の回路図を示す。
【図５】図５Ａは３端子接地抵抗計の電圧回路切り替えスイッチ。図５Ｂは４端子接地抵抗計の電圧回路切り替えスイッチ。
【図６】電圧降下法又は異周波抵抗計を使用する、標準的な接地抵抗を測定する回路図である。
【図７】電圧降下法又は異周波抵抗計を使用する挿入ガイド管Ｄと絶縁独立接地Ａとの電圧測定回路略図である。
【図８】電圧降下法又は異周波抵抗計使用する挿入ガイド管ＤとＰとの差電圧測定回路略図である。  。
【符号の説明】
１  大地（Ｇ．Ｌ）                  Ａ  絶縁独立接地電極
２  測定用電流通電補助接地極        Ｂ  接地電極
３  電圧計                          Ｃ  測定用電流通電補助接地極
４  測定電源                        Ｄ  絶縁独立接地電極挿入ガイド管
５  電圧計                          Ｅ  接地電極部
４  電源                            ▲Ａ▼  電流計
６  接地抵抗計（３端子付き）        ▲Ｖ▼  電圧計
７  接地抵抗計（４端子付き）        Ｌ１〜ＬＮ  １本毎の挿入ガイド管
８  電圧切り替えスイッチ            Ｐ  測定用電圧検出極
９  接地電圧範囲曲線（抵抗範囲曲線）Ｓ  絶縁部
１０  測定用電流計                    Ｘ  Ａ〜Ｂの間隔
１１  電圧計                          Ｙ  Ｂ〜Ｂ’の間隔
Ｚ  Ａ〜Ｂ’の間隔
【図１】
2005037340.tif 000003
【図２】
2005037340.tif 000004
【図３】
2005037340.tif 000005
【図４】
2005037340.tif 000006
【図５】
2005037340.tif 000007
【図６】
2005037340.tif 000008
【図７】
2005037340.tif 000009
【図８】
2005037340.tif 000010